(57)【要約】【課題】転写体を像担持体に対して均一に押圧することができる転写装置を提供すること。【解決手段】  感光ドラム１０と、軸方向（左右方向）両端部間において感光ドラム１０に向かって押圧される転写ローラ１２とを備える転写装置において、転写ローラ１２の軸方向両端部間において、転写ローラ１２を感光ドラム１０に向かって押圧する押圧ローラ本体５３を備える。そして、押圧ローラ本体５３に、転写ローラ１２に付与される転写バイアスと同じ極性で、転写ローラ１２に付与される転写バイアスよりも小さな絶対値を有するバイアスか、または、転写ローラ１２に付与されるバイアスに対して逆極性のバイアスを付与し、転写ローラ１２の表面に付着した紙粉などを静電気的に除去する。【選択図】図２
2013205586.tif 000002
【特許請求の範囲】
【請求項１】
画像形成装置の装置本体に設けられる転写装置であって、
第１方向に沿って延び、前記第１方向と直交する方向に移動可能な像担持体と、
前記第１方向に沿って延びる回転軸を有し、前記第１方向両端部において前記像担持体に向かって押圧される転写体と、
前記転写体の前記第１方向両端部間において、前記転写体を前記像担持体に向かって押圧する押圧部材と
を備え、
前記像担持体は、所定の極性に帯電される現像剤像を担持可能であり、
前記転写体には、前記像担持体に転写される現像剤像の帯電極性と同じ極性で、前記像担持体の露光部分の電位よりも小さな絶対値を有するバイアスか、または、前記像担持体に転写される現像剤像の帯電極性に対して逆極性のバイアスが付与され、
前記押圧部材には、前記転写体に付与されるバイアスと同じ極性で、前記転写体に付与されるバイアスよりも小さな絶対値を有するバイアスか、または、前記転写体に付与されるバイアスに対して逆極性のバイアスが付与されることを特徴とする、転写装置。
【請求項２】
前記現像剤像が転写される被転写媒体は、前記装置本体内に収容されるとともに、前記装置本体内に設けられるピックアップローラに接触される被ピックアップ部を有し、前記ピックアップローラによってピックアップされ、
前記押圧部材は、前記被転写媒体の被ピックアップ部に対向するように、配置されていることを特徴とする、請求項１に記載の転写装置。
【請求項３】
前記押圧部材の前記第１方向長さは、前記被ピックアップ部の第１方向長さよりも長いことを特徴とする、請求項２に記載の転写装置。
【請求項４】
前記押圧部材は、前記転写体の前記第１方向中央を押圧することを特徴とする、請求項１ないし３のいずれか一項に記載の転写装置。
【請求項５】
前記押圧部材の表面に付着した付着物を除去する除去部材を、さらに備えることを特徴とする、請求項１ないし４のいずれか一項に記載の転写装置。
【請求項６】
前記押圧部材は、前記転写体の回転方向において、前記転写体に対して面接触することを特徴とする、請求項１ないし５のいずれか一項に記載の転写装置。
【請求項７】
前記現像剤像が転写される被転写媒体は、前記装置本体内に設けられる搬送ローラに接触される被搬送部を有し、前記搬送ローラによって前記像担持体と前記転写体との間に搬送され、
前記押圧部材は、前記被転写媒体の前記被搬送部に対向するように、配置されていることを特徴とする、請求項１ないし６のいずれか一項に記載の転写装置。
【請求項８】
前記押圧部材は、前記第１方向において前記転写体の複数の箇所を押圧することを特徴とする、請求項１ないし７のいずれか一項に記載の転写装置。
【請求項９】
前記押圧部材は、前記転写体の駆動に従動することを特徴とする、請求項１ないし８のいずれか一項に記載の転写装置。
【請求項１０】
前記押圧部材は、前記転写体が駆動しているときに前記転写体を押圧し、前記転写体が駆動していないときに前記転写体に対する押圧を解除することを特徴とする、請求項１ないし９のいずれか一項に記載の転写装置。
【請求項１１】
前記像担持体を有し、前記装置本体に対して着脱可能に構成される像担持体ユニットに前記押圧部材が設けられ、
前記押圧部材は、前記装置本体から押圧される被押圧部を有することを特徴とする、請求項１ないし１０のいずれか一項に記載の転写装置。
【請求項１２】
前記押圧部材が前記装置本体から押圧されることにより、前記転写体が前記像担持体を押圧することを特徴とする、請求項１１に記載の転写装置。
【請求項１３】
前記像担持体を有し、前記装置本体に対して着脱可能に構成される像担持体ユニットをさらに備え、
前記押圧部材は、前記装置本体に設けられ、
前記像担持体ユニットは、前記押圧部材を受け入れる受入部を有することを特徴とする、請求項１ないし１０のいずれか一項に記載の転写装置。
【発明の詳細な説明】
【技術分野】
【０００１】
本発明は、電子写真方式が採用される画像形成装置に備えられる転写装置に関する。
【背景技術】
【０００２】
電子写真方式の画像形成装置として、現像剤像が担持される像担持体と、現像剤像を像担持体から被転写媒体に転写する転写部材とを備える画像形成装置が知られている。
【０００３】
例えば、トナー像が担持される感光ドラムと、感光ドラムに対向配置され、トナー像を感光ドラムから用紙に転写する転写ローラとを備えるプロセスカートリッジを着脱可能に備えるレーザプリンタが知られている（例えば、下記特許文献１参照）。
【先行技術文献】
【特許文献】
【０００４】
【特許文献１】特開２００５−２１５５４８号公報
【発明の概要】
【発明が解決しようとする課題】
【０００５】
しかるに、上記した特許文献１に記載のレーザプリンタでは、転写ローラは、本体ケーシングに設けられる付勢ばねによって、その軸方向両端部において感光ドラムに向かって押圧されている。
【０００６】
そのため、転写ローラの感光ドラムに対する押圧力が、その軸方向両端部において、その軸方向中央よりも強くなり、軸方向において不均一になるという不具合がある。
【０００７】
転写ローラの感光ドラムに対する押圧力が不均一になると、トナー像の用紙への転写が不均一になるおそれがある。
【０００８】
そこで、本発明の目的は、転写体を像担持体に対して均一に押圧することができる転写装置を提供することにある。
【課題を解決するための手段】
【０００９】
（１）上記した目的を達成するため、本発明は、画像形成装置の装置本体に設けられる転写装置であって、第１方向に沿って延び、第１方向と直交する方向に移動可能な像担持体と、第１方向に沿って延びる回転軸を有し、第１方向両端部において像担持体に向かって押圧される転写体と、転写体の第１方向両端部間において、転写体を像担持体に向かって押圧する押圧部材とを備える。
【００１０】
像担持体は、所定の極性に帯電される現像剤像を担持可能である。
【００１１】
転写体には、像担持体に転写される現像剤像の帯電極性と同じ極性で、像担持体の露光部分の電位よりも小さな絶対値を有するバイアスか、または、像担持体に転写される現像剤像の帯電極性に対して逆極性のバイアスが付与される。
【００１２】
押圧部材には、転写体に付与されるバイアスと同じ極性で、転写体に付与されるバイアスよりも小さな絶対値を有するバイアスか、または、転写体に付与されるバイアスに対して逆極性のバイアスが付与される。
【００１３】
このような構成によれば、転写体の第１方向両端部に加えて、押圧部材が、転写体の第１方向両端部間を像担持体に向かって押圧することができる。
【００１４】
その結果、第１方向において、転写体を像担持体に対して均一に押圧することができる。
【００１５】
しかも、押圧部材には、転写体に付与されるバイアスと同じ極性で、転写体に付与されるバイアスよりも小さな絶対値を有するバイアスか、または、転写体に付与されるバイアスに対して逆極性のバイアスが付与されている。
【００１６】
これにより、転写体に付着した紙粉などの付着物を、押圧部材によって静電気的に吸着させて除去することができる。
（２）また、現像剤像が転写される被転写媒体は、装置本体内に収容されるとともに、装置本体内に設けられるピックアップローラに接触される被ピックアップ部を有し、ピックアップローラによってピックアップされてもよい。この場合、押圧部材は、被転写媒体の被ピックアップ部に対向するように、配置されてもよい。
【００１７】
このような構成によれば、押圧部材は、被転写媒体の被ピックアップ部に対向するように、配置されている。
【００１８】
紙粉は、一般に、被転写媒体がピックアップローラによってピックアップされるときに被ピックアップ部においてピックアップローラとの摺擦によって生じやすい。
【００１９】
上記構成によれば、その紙粉が生じやすい箇所において、その紙粉を押圧部材で除去することができる。
【００２０】
その結果、転写体に付着した付着物を、押圧部材によって効率よく除去することができる。
（３）また、押圧部材の第１方向長さは、被ピックアップ部の第１方向長さよりも長くてもよい。
【００２１】
このような構成によれば、押圧部材を、転写体の被ピックアップ部に対向する部分に対して、確実に対向させることができる。
【００２２】
そのため、転写体に付着した付着物を、押圧部材によってより効率よく除去することができる。
（４）また、押圧部材は、転写体の第１方向中央を押圧してもよい。
【００２３】
このような構成によれば、押圧部材が、第１方向中央において、転写体を像担持体に向かって押圧する。
【００２４】
その結果、第１方向において、転写体を像担持体に対してより均一に押圧することができる。
（５）また、押圧部材の表面に付着した付着物を除去する除去部材を、さらに備えていてもよい。
【００２５】
このような構成によれば、押圧部材の表面付着した付着物を、除去部材で除去することができる。
【００２６】
そのため、押圧部材に付着物が残存することを抑制することができ、押圧部材によって除去された付着物が、再度、転写体へ付着することを防止することができる。
【００２７】
その結果、転写体から、付着物をより確実に除去することができる。
（６）また、押圧部材は、転写体の回転方向において、転写体に対して面接触してもよい。
【００２８】
このような構成によれば、押圧部材の転写体に対する接触面において、転写体から、付着物を効率よく除去することができる。
【００２９】
また、通常、転写体は、金属製の軸と、その軸の表面に設けられるスポンジ部材によって構成されている。
【００３０】
この場合、押圧部材を転写体に面接触させることにより、スポンジ部材の歪みを低減することができる。
（７）また、現像剤像が転写される被転写媒体は、装置本体内に設けられる搬送ローラに接触される被搬送部を有し、搬送ローラによって像担持体と転写体との間に搬送されてもよい。この場合、押圧部材は、被転写媒体の被搬送部に対向するように、配置されていてもよい。
【００３１】
このような構成によれば、押圧部材は、被転写媒体の被搬送部に対向するように、配置されている。
【００３２】
そのため、搬送ローラによって搬送されるときに被搬送部において搬送ローラとの摺擦による紙粉が生じ、その紙粉が転写体に付着したとしても、その紙粉を押圧部材で除去することができる。
【００３３】
その結果、転写体に付着した付着物を、押圧部材によって効率よく除去することができる。
（８）また、押圧部材は、第１方向において転写体の複数の箇所を押圧してもよい。
【００３４】
このような構成によれば、押圧部材が、第１方向両端部間の複数の箇所において、転写体を像担持体に向かって押圧する。
【００３５】
その結果、第１方向において、転写体を像担持体に対してより均一に押圧することができる。
（９）また、押圧部材は、転写体の駆動に従動してもよい。
【００３６】
このような構成によれば、押圧部材を駆動するための部材を別に設けることなく、転写体の駆動を利用して押圧部材を駆動させることができる。
【００３７】
そのため、部品点数の低減を図りながら、簡易な構成で、押圧部材を駆動させることができる。
（１０）また、押圧部材は、転写体が駆動しているときに転写体を押圧し、転写体が駆動していないときに転写体に対する押圧を解除してもよい。
【００３８】
このような構成によれば、転写体が停止しているときに、転写体に対して押圧部材からの押圧力が加わることを防止できる。
【００３９】
そのため、転写体が停止しているときに、押圧部材によって転写体の特定の部分が押圧され続けることを防止できる。
【００４０】
その結果、転写体が特定の部分において変形することを防止できる。
（１１）また、像担持体を有し、装置本体に対して着脱可能に構成される像担持体ユニットに押圧部材が設けられていてもよい。この場合、押圧部材は、装置本体から押圧される被押圧部を有していてもよい。
【００４１】
このような構成によれば、像担持体および転写体に対して、押圧部材を精度よく配置させることができる。
（１２）また、押圧部材が装置本体から押圧されることにより、転写体が像担持体を押圧してもよい。
【００４２】
このような構成によれば、押圧部材の転写体に対する押圧を利用して、転写体を像担持体に対して押圧させることができる。
【００４３】
そのため、押圧部材を転写体に対して押圧するための構成と、転写体を像担持体に対して押圧するための構成とを別々に設けることなく、部品点数の低減を図りながら、簡易な構成で、押圧部材を転写体に対して押圧するとともに、転写体を像担持体に対して押圧することができる。
（１３）また、像担持体を有し、装置本体に対して着脱可能に構成される像担持体ユニットをさらに備えていてもよい。この場合、押圧部材は、装置本体に設けられていてもよい。また、像担持体ユニットは、押圧部材を受け入れる受入部を有していてもよい。
【００４４】
このような構成によれば、装置本体に設けられる押圧部材が、受入部を介して、転写体の第１方向両端部間を像担持体に向かって押圧する。
【００４５】
そのため、像担持体ユニットの構成の簡略化を図ることができながら、転写体を像担持体に対して均一に押圧することができる。
【発明の効果】
【００４６】
本発明によれば、第１方向において、転写体を像担持体に対して均一に押圧することができる。
【００４７】
また、転写体に付着した紙粉などの付着物を、押圧部材によって静電気的に吸着させて除去することができる。
【図面の簡単な説明】
【００４８】
【図１】図１は、本発明の転写装置の一実施形態が備えられる画像形成装置の一例としてのプリンタを示す断面図である。
【図２】図２は、図１に示すプリンタの要部拡大図である。
【図３】図３は、図２に示すプロセスカートリッジの正断面図であり、転写ローラが感光ドラムに対して押圧されている状態を示す。
【図４】図４は、図２に示すプロセスカートリッジの正断面図であり、転写ローラの感光ドラムに対する押圧が解除されている状態を示す。
【図５】図５は、第２実施形態を説明するための説明図である。
【図６】図６は、第３実施形態を説明するための説明図である。
【発明を実施するための形態】
【００４９】
１．プリンタの全体構成
図１に示すように、画像形成装置の一例としてのプリンタ１は、略ボックス形状の装置本体の一例としての本体ケーシング２を備えている。
【００５０】
なお、以下の説明において、方向について言及する場合には、プリンタ１を水平に載置した状態を基準として、図１における紙面右側を前側とし、図１における紙面左側を後側とする。また、プリンタ１を前側から見たときを左右の基準とする。すなわち、図１の紙面手前側が左側であり、紙面奥側が右側である。
【００５１】
本体ケーシング２の前端部には、本体ケーシング２の内外を連通する本体開口部３が形成されている。また、本体ケーシング２の前端部には、本体開口部３を開閉するフロントカバー４が設けられている。
【００５２】
また、プリンタ１は、本体ケーシング２内において、スキャナユニット５と、プロセスカートリッジ６と、定着ユニット７とを備えている。
【００５３】
スキャナユニット５は、本体ケーシング２の上部に配置されている。スキャナユニット５は、実線で示すように、プロセスカートリッジ６の感光ドラム１０（後述）に向けて、画像データに基づいてレーザービームを出射し、感光ドラム１０（後述）を露光する。
【００５４】
プロセスカートリッジ６は、本体ケーシング２内においてスキャナユニット５の下側に装着され、本体開口部３が開放された状態で本体ケーシング２に対して着脱できるように構成されている。
【００５５】
プロセスカートリッジ６は、像担持体ユニットの一例としてのドラムカートリッジ８と、ドラムカートリッジ８に着脱可能に装着される現像カートリッジ９とを備えている。
【００５６】
ドラムカートリッジ８は、像担持体の一例としての感光ドラム１０と、スコロトロン型帯電器１１と、転写体の一例としての転写ローラ１２と、対向ローラ１３とを備えている。
【００５７】
感光ドラム１０は、左右方向（第１方向）に延びる略円筒形状に形成され、ドラムカートリッジ８の後端部において、左右方向に沿って設けられている。
【００５８】
スコロトロン型帯電器１１は、感光ドラム１０の後上側において、感光ドラム１０と間隔を隔てて対向配置されている。
【００５９】
転写ローラ１２は、感光ドラム１０の下側に対向配置され、感光ドラム１０に下側から圧接されている。
【００６０】
対向ローラ１３は、ドラムカートリッジ８の前後方向略中央の下端部に設けられている。対向ローラ１３は、本体ケーシング２内に設けられる搬送ローラの一例としてのレジストローラ１４に上側から接触されている。なお、レジストローラ１４は、左右方向に互いに等間隔を隔てて複数（３つ）設けられ、それぞれ、左右方向に延びる略円筒形状に形成されている（図３参照）。
【００６１】
現像カートリッジ９は、現像ローラ１５を備えている。
【００６２】
現像ローラ１５は、現像カートリッジ９の後端部において、後側から露出されるように回転可能に支持されており、感光ドラム１０に対して前側から圧接されている。
【００６３】
なお、現像カートリッジ９は、現像ローラ１５にトナーを供給する供給ローラ１６、現像ローラ１５に供給されたトナーの厚みを規制する層厚規制ブレード１７を備え、それらの前方の空間には、現像剤の一例としてのトナーが収容されている。
【００６４】
そして、現像カートリッジ９内のトナーは、供給ローラ１６と現像ローラ１５との間で正極性に摩擦帯電されるとともに、層厚規制ブレード１７によって厚さが規制されて、一定厚さの薄層として現像ローラ１５の表面に担持される。
【００６５】
一方、感光ドラム１０の表面は、スコロトロン型帯電器１１により一様に、例えば、＋８００Ｖに帯電された後、スキャナユニット５からのレーザービームにより露光される。これにより、感光ドラム１０の表面には、画像データに基づく静電潜像が形成される。感光ドラム１０の静電潜像が形成されている部分（すなわち、露光部分）の電位は、例えば、＋１５０Ｖである。
【００６６】
そして、現像ローラ１５に担持されるトナーが感光ドラム１０の表面上の静電潜像に供給されることにより、感光ドラム１０の表面上にトナー像（現像剤像）が担持される。
【００６７】
被転写媒体の一例としての用紙Ｐは、本体ケーシング２の底部に設けられる給紙トレイ１８内に収容されている。給紙トレイ１８内の用紙Ｐは、給紙トレイ１８の前端部の上側に設けられるピックアップローラ２２によってピックアップされた後、各種ローラによって、後上側へＵターンするように１枚ずつ搬送されて、レジストローラ１４と対向ローラ１３との間に供給される。なお、ピックアップローラ２２は、用紙Ｐの左右方向中央をピックアップする（図３参照）。すなわち、用紙Ｐの左右方向中央が被ピックアップ部Ｐ１とされる。
【００６８】
その後、用紙Ｐは、レジストローラ１４の駆動、および、対向ローラ１３の従動により、所定のタイミングで、感光ドラム１０と転写ローラ１２との間に給紙される。すなわち、用紙Ｐのレジストローラ１４に接触される部分が被搬送部Ｐ２とされる。
【００６９】
その後、用紙Ｐが感光ドラム１０と転写ローラ１２との間を通過するときに、感光ドラム１０に担持されるトナー像が、転写ローラ１２に印加される転写バイアスによって用紙Ｐに転写される。
【００７０】
そして、用紙Ｐは、加熱ローラ１９と加圧ローラ２０との間を通過するときに加熱および加圧される。これにより、トナー像は、用紙Ｐに熱定着される。
【００７１】
その後、用紙Ｐは、前上側へＵターンするように搬送されて、本体ケーシング２の上面に設けられる排紙トレイ２１に排紙される。
２．ドラムカートリッジの詳細
ドラムカートリッジ８は、図２および図３に示すように、ドラムフレーム３０と、感光ドラム１０と、転写ローラ１２と、押圧ローラ４１と、除去部材の一例としての掻き取りブレード５４とを備えている。
【００７２】
ドラムフレーム３０は、左右１対の側壁３１と、下壁３２と、前壁３３と、上壁３４とを備えている。
【００７３】
１対の側壁３１は、互いに左右方向に間隔を隔てて対向配置されている。側壁３１は、前後方向に延びる略平板形状に形成されている。また、側壁３１の後端部には、ドラム軸挿通穴４５および押圧ローラ軸挿通穴４７が形成されている。また、右側の側壁３１の後端部には、転写ローラ軸３８を支持する転写ローラ軸支持穴４６が形成されている。
【００７４】
ドラム軸挿通穴４５は、側壁３１の後端部の上側において、感光ドラム１０のドラム軸２７（後述）を受け入れ可能に貫通形成されている。
【００７５】
押圧ローラ軸挿通穴４７は、側壁３１の後端部の下端部において、ドラム軸挿通穴４５の下側に配置され、押圧ローラ５１の押圧ローラ軸５２（後述）を受け入れ可能に貫通形成されている。
【００７６】
転写ローラ軸支持穴４６は、ドラム軸挿通穴４５と押圧ローラ軸挿通穴４７との間において、転写ローラ軸３８の軸受け４１（後述）を受け入れ可能に貫通形成されている。なお、転写ローラ軸支持穴４６の上下方向長さは、転写ローラ軸３８の軸受け４１（後述）の上下方向長さよりも長い。
【００７７】
下壁３２は、１対の側壁３１の下端部間に架設され、前後左右に延びる略平板形状に形成されている。また、下壁３２は、転写ローラ１２を収容するための転写ローラ収容部３６と、用紙搬送ガイド部３７と、現像カートリッジ９を装着するための現像カートリッジ支持部３５とを備えている。
【００７８】
転写ローラ収容部３６は、下壁３２の後端部に設けられている。転写ローラ収容部３６は、上側に向かって開放される側面視略円弧形状に形成されている。転写ローラ収容部３６には、ばね受入穴４４が形成されている。
【００７９】
ばね受入穴４４は、転写ローラ収容部３６の左右方向両端部に１つずつ設けられ、転写ローラ収容部３６を上下方向に貫通するように形成されている。ばね受入穴４４には、本体ケーシング２から圧縮コイルばね６１（後述）が挿入される。
【００８０】
用紙搬送ガイド部３７は、転写ローラ収容部３６の前端部から連続して、前側へ向かって延びる略平板形状に形成されている。また、用紙搬送ガイド部３７の前端部は、現像カートリッジ９の後端部の下側に間隔を隔てて対向配置されている。また、用紙搬送ガイド部３７の後端部は、感光ドラム１０と転写ローラ１２とのニップ部分に対して、前側から対向されている。
【００８１】
現像カートリッジ支持部３５は、用紙搬送ガイド部３７の前側に間隔を隔てて設けられ、前後方向に延びる略平板形状に形成されている。現像カートリッジ支持部３５の前端部は、前壁３３の下端部に連続されている。なお、用紙搬送ガイド部３７と現像カートリッジ支持部３５との間は、用紙Ｐを感光ドラム１０と転写ローラ１２とのニップ部分に向かって通過させるための第１開口４２とされる。
【００８２】
前壁３３は、下壁３２の前端部から上側へ延びる略平板形状に形成されている。
【００８３】
上壁３４は、感光ドラム１０を上側から被覆するように、１対の側壁３１の後端部の上端部間に架設されている。上壁３４は、前後方向に延びる略平板形状に形成されている。また、上壁３４の後端部には、スコロトロン型帯電器１１が支持されている。また、上壁３４の後端部は、転写ローラ収容部３６の後端部の上側に間隔を隔てて対向配置されている。転写ローラ収容部３６の後端部と、上壁３４の後端部との間は、用紙Ｐを感光ドラム１０と転写ローラ１２とのニップ部分から定着ユニット７に向かって通過させるための第２開口４３とされる。
【００８４】
感光ドラム１０は、ドラム本体２６と、フランジ部材２５と、ドラム軸２７と、ドラム駆動ギヤ２８とを備えている。
【００８５】
ドラム本体２６は、金属から左右方向に延びる略円筒形状に形成されている。ドラム本体２６の周面には、感光層が形成されている。
【００８６】
フランジ部材２５は、ドラム本体２６の左右方向両端部内に１つずつ、相対回転不能に嵌合されている。フランジ部材２５は、左右方向に延びる略円柱形状に形成されている。
【００８７】
ドラム軸２７は、金属からドラム本体２６の中心軸線に沿って延びる略円柱形状に形成されている。ドラム軸２７の左右方向両端部は、フランジ部材２５の径方向中央を貫通するように、フランジ部材２５に相対回転不能に支持されている。また、ドラム軸２７の左右方向両端部は、フランジ部材２５の左右方向外面よりも左右方向外側へ突出され、それぞれ、ドラム軸挿通穴４５に回転可能に挿通されている。
【００８８】
ドラム駆動ギヤ２８は、左右方向に厚みを有する平歯車であり、左側の側壁３１と感光ドラム１０の左端部との間において、ドラム軸２７の左端部に相対回転不能に支持されている。
【００８９】
転写ローラ１２は、回転軸の一例としての転写ローラ軸３８と、転写ローラ本体３９とを備えている。
【００９０】
転写ローラ軸３８は、金属から左右方向に延びる略円柱形状に形成されている。転写ローラ軸３８の右端部には、軸受け４１が設けられている。また、転写ローラ軸３８の左端部には、転写ローラ駆動ギヤ４０が設けられている。なお、転写ローラ軸３８には、例えば、−１０００Ｖの転写バイアスが印加される。
【００９１】
軸受け４１は、左右方向に延び、右端部が閉鎖された略円筒形状に形成されている。軸受け４１は、転写ローラ軸３８の右端部に相対回転可能に外嵌されるとともに、右側の側壁３１の転写ローラ軸支持穴４６内に遊嵌されている。
【００９２】
転写ローラ駆動ギヤ４０は、左右方向に厚みを有する平歯車であり、左側の側壁３１の右側において、転写ローラ軸３８の左端部に対して相対回転不能に支持されている。転写ローラ駆動ギヤ４０は、転写ローラ１２が感光ドラム１０に対して押圧された状態において、ドラム駆動ギヤ２８に下側から噛合される。
【００９３】
転写ローラ本体３９は、導電性の樹脂の弾性材料などから、左右方向に延びる略円筒形状に形成され、転写ローラ軸３８の左右方向両端部を露出するように、転写ローラ軸３８を被覆している。
【００９４】
押圧ローラ４１は、転写ローラ１２の下側に対向配置されている。押圧ローラ４１は、１つの押圧ローラ軸５２と、複数（３つ）の押圧部材の一例としての押圧ローラ本体５３とを備えている。
【００９５】
押圧ローラ軸５２は、金属から左右方向に沿って延びる略円柱形状に形成されている。押圧ローラ軸５２の左右方向両端部は、それぞれ、ばね受入穴４４の上側に対向するとともに、押圧ローラ軸挿通穴４７内に遊嵌されている。なお、押圧ローラ軸５２には、例えば、−１００Ｖのクリーニングバイアスが印加される。
【００９６】
複数の押圧ローラ本体５３は、導電性の樹脂の弾性材料などから、左右方向に延びる略円筒形状に形成され、互いに左右方向に等間隔を隔てて並列配置されるように、押圧ローラ軸５２に相対回転不能に外嵌されている。
【００９７】
詳しくは、本実施形態のように押圧ローラ本体５３が３つの場合、左右方向中央の押圧ローラ本体５３が、用紙Ｐの被ピックアップ部Ｐ１および被搬送部Ｐ２に対向するように設けられている。また、右側の押圧ローラ本体５３が、右側の被搬送部Ｐ２に対向するように設けられている。また、左側の押圧ローラ本体５３が、左側の被搬送部Ｐ２に対向するように設けられている。
【００９８】
掻き取りブレード５４は、押圧ローラ４１の後側に配置されている。掻き取りブレード５４は、複数の押圧ローラ本体５３のそれぞれに対して１つずつ設けられている。掻き取りブレード５４は、左右方向に長手の略平板形状に形成されており、その後端部、即ち基端部において転写ローラ収容部３６の後端部に支持されるとともに、その前端部、即ち遊端部において押圧ローラ本体５３の周面に接触されている。
【００９９】
そして、感光ドラム１０、転写ローラ１２、押圧ローラ５１および掻き取りブレード５４は、転写装置を構成する。
３．押圧ローラによる転写ローラ表面のクリーニング
上記した画像形成動作において、感光ドラム１０から用紙Ｐへトナー像を転写するときには、図３に示すように、押圧ローラ４１の押圧ローラ軸５２の左右方向両端部のそれぞれに、本体ケーシング２に設けられる圧縮コイルばね６１が、ばね受入穴４４を介して下側から当接され、圧縮コイルばね６１の付勢力によって上側へ向かって付勢される。すなわち、押圧ローラ軸５２の左右方向両端部は、被押圧部５５とされる。
【０１００】
これにより、転写ローラ１２は、複数の押圧ローラ本体５３によって下側から押圧される。詳しくは、転写ローラ１２は、左右方向両側の押圧ローラ本体５３によって、その左右方向両端部が押圧されるとともに、左右方向中央の押圧ローラ本体５３によって、その左右方向中央が押圧される。
【０１０１】
すると、転写ローラ駆動ギヤ４０がドラム駆動ギヤ２８に対して下側から噛合される。また、転写ローラ本体３９と押圧ローラ本体５３とは、押圧ローラ本体５３の転写ローラ本体３９に対する押圧力によって、それらの接触部分において前後方向に延びる接触面Ｔ（図２拡大図参照）を形成するように、互いに圧縮変形される。
【０１０２】
また、転写ローラ１２は、押圧ローラ本体５３からの押圧力により、感光ドラム１０に対して下側から圧接される。
【０１０３】
この状態において上記した画像形成動作が実施されると、本体ケーシング２からの駆動力がドラム駆動ギヤ２８に入力され、感光ドラム１０が左側面視時計回りに回転される。
【０１０４】
このとき、ドラム駆動ギヤ２８に入力された駆動力は、転写ローラ駆動ギヤ４０に伝達され、転写ローラ１２が左側面視反時計回りに回転される。
【０１０５】
また、押圧ローラ本体５３は、転写ローラ本体３９の回動に従動して左側面視時計回り方向へ回転される。
【０１０６】
そして、感光ドラム１０と転写ローラ１２とのニップ部に供給された用紙Ｐは、感光ドラム１０および転写ローラ１２の駆動によって、感光ドラム１０と転写ローラ１２とのニップ部を後側へ通過される。
【０１０７】
すると、上記したように、転写ローラ１２に印加される転写バイアスにより、用紙Ｐにトナー像が転写される。
【０１０８】
このとき、予め用紙Ｐに付着している付着物の一例としての紙粉などが転写ローラ本体３９の周面に静電気的に付着する場合がある。
【０１０９】
紙粉は、例えば、ピックアップローラ２２やレジストローラ１４などの各種ローラと、用紙Ｐとの摺擦により発生する。すなわち、用紙Ｐの被ピックアップ部Ｐ１および被搬送部Ｐ２には、用紙Ｐのそれ以外の箇所と比較して、より多くの紙粉が付着している。また、紙粉は、ピックアップローラ２２やレジストローラ１４との摺擦によって負極性に帯電している。
【０１１０】
そして、転写ローラ本体３９の周面に付着した紙粉は、転写ローラ本体３９の左側面視反時計回り方向への回転に伴って押圧ローラ本体５３に対向される。すると、紙粉は、クリーニングバイアスによって、押圧ローラ本体５３の周面に静電気的に保持される。
【０１１１】
その後、押圧ローラ本体５３の周面に保持された紙粉は、掻き取りブレード５４によって物理的に掻き取られる。掻き取られた紙粉は、転写ローラ収容部３６内に落下されて、貯留される。
【０１１２】
なお、図４に示すように、圧縮コイルばね６１は、転写ローラ１２が停止した後に、押圧ローラ４１の押圧ローラ軸５２から退避され、押圧ローラ軸５２に対する付勢を解除する。これにより、押圧ローラ本体５３の転写ローラ１２に対する押圧が解除されるとともに、転写ローラ１２の感光ドラム１０に対する押圧が解除される。
４．作用効果
（１）この転写装置によれば、図３に示すように、転写ローラ１２の左右方向両端部に加えて、押圧ローラ本体５３が、転写ローラ１２の左右方向中央を感光ドラム１０に向かって押圧する。
【０１１３】
その結果、左右方向において、転写ローラ１２を感光ドラム１０に対して均一に押圧することができる。
【０１１４】
しかも、押圧ローラ本体５３には、転写ローラ１２に付与される転写バイアスと同じ負極性で、転写ローラ１２に付与される転写バイアス（−１０００Ｖ）よりも小さな絶対値を有するクリーニングバイアス（−１００Ｖ）が、押圧ローラ軸５２を介して付与されている。
【０１１５】
これにより、転写ローラ１２に付着した紙粉などの付着物を、押圧ローラ本体５３によって静電気的に吸着させて除去することができる。
（２）また、この転写装置によれば、図３に示すように、押圧ローラ本体５３は、用紙Ｐの被ピックアップ部Ｐ１に対向するように、配置されている。
【０１１６】
そのため、ピックアップローラ２２によってピックアップされるときに被ピックアップ部Ｐ１においてピックアップローラ２２との摺擦による紙粉が生じ、その紙粉が転写ローラ１２に付着したとしても、その紙粉を押圧ローラ本体５３で除去することができる。
【０１１７】
その結果、転写ローラ１２に付着した付着物を、押圧ローラ本体５３によって効率よく除去することができる。
（３）また、この転写装置によれば、図３に示すように、押圧ローラ本体５３の左右方向長さは、被ピックアップ部Ｐ１の左右方向長さよりも長い。
【０１１８】
そのため、押圧ローラ本体５３を、転写ローラ１２の被ピックアップ部Ｐ１に対向する部分に対して、確実に対向させることができる。
【０１１９】
そのため、転写ローラ１２に付着した紙粉を、押圧ローラ本体５３によってより効率よく除去することができる。
（４）また、この転写装置によれば、図３に示すように、複数（３つ）の押圧ローラ本体５３が、左右方向中央において、転写ローラ１２を感光ドラム１０に向かって押圧する。
【０１２０】
その結果、左右方向において、転写ローラ１２を感光ドラム１０に対してより均一に押圧することができる。
（５）また、この転写装置によれば、図２に示すように、押圧ローラ本体５３の表面に付着した紙粉を、掻き取りブレード５４で除去することができる。
【０１２１】
そのため、押圧ローラ本体５３に紙粉が残存することを抑制することができ、押圧ローラ本体５３によって除去された紙粉が、再度、転写ローラ１２へ付着することを防止することができる。
【０１２２】
その結果、転写ローラ１２から、紙粉をより確実に除去することができる。
（６）また、この転写装置によれば、図２において拡大図に示すように、押圧ローラ本体５３は、転写ローラ１２の周方向において、転写ローラ１２に対して面接触している。
【０１２３】
そのため、押圧ローラ本体５３の転写ローラ１２に対する接触面Ｔにおいて、転写ローラ１２から、紙粉を効率よく除去することができる。
（７）また、この転写装置によれば、図３に示すように、押圧ローラ本体５３は、用紙Ｐの被搬送部Ｐ２に対向するように配置されている。
【０１２４】
そのため、レジストローラ１４によって搬送されるときに被搬送部Ｐ２においてレジストローラ１４との摺擦による紙粉が生じ、その紙粉が転写ローラ１２に付着したとしても、その紙粉を押圧ローラ本体５３で除去することができる。
【０１２５】
その結果、転写ローラ１２に付着した紙粉を、押圧ローラ本体５３によって効率よく除去することができる。
（８）また、この転写装置によれば、図３に示すように、複数（３つ）の押圧ローラ本体５３のそれぞれが、転写ローラ１２の左端部、右端部および左右方向中央において、転写ローラ１２を感光ドラム１０に向かって押圧する。
【０１２６】
そのため、左右方向において、転写ローラ１２を感光ドラム１０に対してより均一に押圧することができる。
（９）また、この転写装置によれば、押圧ローラ本体５３は、転写ローラ１２の駆動に従動する。
【０１２７】
そのため、押圧ローラ本体５３を駆動するための部材を別に設けることなく、転写ローラ１２の駆動を利用して押圧ローラ本体５３を駆動させることができる。
【０１２８】
そのため、部品点数の低減を図りながら、簡易な構成で、押圧ローラ本体５３を駆動させることができる。
（１０）また、この転写装置によれば、図３および図４に示すように、押圧ローラ本体５３は、転写ローラ１２が駆動しているときに転写ローラ１２を押圧し、転写ローラ１２が駆動していないときに転写ローラ１２に対する押圧を解除する。
【０１２９】
そのため、転写ローラ１２が停止しているときに、転写ローラ１２に対して押圧ローラ本体５３からの押圧力が加わることを防止できる。
【０１３０】
これにより、転写ローラ１２が停止しているときに、押圧ローラ本体５３によって転写ローラ１２の特定の部分が押圧され続けることを防止できる。
【０１３１】
その結果、転写ローラ１２が特定の部分において変形することを防止できる。
（１１）また、この転写装置によれば、図２に示すように、ドラムカートリッジ８に、押圧ローラ本体５３が設けられている。
【０１３２】
そのため、感光ドラム１０および転写ローラ１２に対して、押圧ローラ本体５３を精度よく配置させることができる。
（１２）また、この転写装置によれば、図３に示すように、押圧ローラ５１が本体ケーシング２の圧縮コイルばね６１によって付勢されることにより、転写ローラ１２が感光ドラム１０を押圧する。
【０１３３】
そのため、押圧ローラ本体５３の転写ローラ１２に対する押圧を利用して、転写ローラ１２を感光ドラム１０に対して押圧させることができる。
【０１３４】
その結果、押圧ローラ本体５３を転写ローラ１２に対して押圧するための構成と、転写ローラ１２を感光ドラム１０に対して押圧するための構成とを別々に設けることなく、部品点数の低減を図りながら、簡易な構成で、押圧ローラ本体５３を転写ローラ１２に対して押圧するとともに、転写ローラ１２を感光ドラム１０に対して押圧することができる。
４．変形例
（１）上記した実施形態によれば、１つの押圧ローラ５１を、転写ローラ１２の下側に配置しているが、押圧ローラ５１の数や配置は、特に限定されず、例えば、図５に示すように、２つの押圧ローラ５１を、転写ローラ１２の前下側と後下側とに１つずつ設けることもできる。
（２）上記した実施形態によれば、ドラムカートリッジ８の転写ローラ収容部３６内に押圧ローラ５１を設けたが、例えば、図６に示すように、押圧ローラ７１を、本体ケーシング２内において、ドラムカートリッジ８の転写ローラ収容部３６の下側に設けることもできる。
【０１３５】
詳しくは、ドラムカートリッジ８の転写ローラ収容部３６には、押圧ローラ７１を受け入れる受入部の一例としての受入開口７０が形成されている。
【０１３６】
受入開口７０は、その下端部の左右方向中央において、転写ローラ１２の下側に対向するように、押圧ローラ７１を受け入れ可能な左右方向長さおよび前後方向長さで貫通形成されている。
【０１３７】
本体ケーシング２は、ドラムカートリッジ８の転写ローラ収容部３６の下側において、押圧ローラ支持部材７４と、押圧ローラ７１とを備えている。
【０１３８】
押圧ローラ支持部材７４は、上側が開放された略Ｕ字形状に形成され、上下方向にスライド可能に構成されている。
【０１３９】
押圧ローラ７１は、押圧ローラ軸７２と、押圧部材の一例としての押圧ローラ本体７３とを備えている。
【０１４０】
押圧ローラ軸７２は、金属から左右方向に沿って延びる略円柱形状に形成されている。
【０１４１】
押圧ローラ本体７３は、導電性の樹脂などの弾性材料から、左右方向に延びる略円筒形状に形成され、押圧ローラ軸７２の左右方向両端部を露出するように、押圧ローラ軸７２を被覆している。
【０１４２】
そして、押圧ローラ７１の押圧ローラ軸７２の左右方向両端部は、それぞれ、押圧ローラ支持部材７４の左右方向両端部に回転可能に支持されている。また、押圧ローラ７１の押圧ローラ本体７３は、受入開口７０を介して転写ローラ１２の下側に対向配置される。
【０１４３】
そして、押圧ローラ７１は、圧縮コイルばね７５によって、常には、上側へ向かうように付勢されている。なお、この変形例では、転写ローラ１２の左右方向両端部は、本体ケーシング２からばね受入穴４４内に挿入される圧縮コイルばね６１によって、常には、上側へ向かうように付勢されている。
【０１４４】
この変形例によれば、本体ケーシング２に設けられる押圧ローラ７１が、受入開口７０を介して、転写ローラ１２の左右方向中央を感光ドラム１０に向かって押圧する。
【０１４５】
そのため、ドラムカートリッジ８の構成の簡略化を図ることができながら、転写ローラ１２を感光ドラム１０に対して均一に押圧することができる。
（３）上記した実施形態によれば、押圧ローラ本体５３には、転写ローラ１２に付与される転写バイアスと同じ負極性で、転写ローラ１２に付与される転写バイアス（−１０００Ｖ）よりも小さな絶対値を有するクリーニングバイアス（−１００Ｖ）が付与されている。
【０１４６】
しかし、押圧ローラ本体５３には、紙粉などの付着物を吸着することができれば、転写ローラ１２に付与される転写バイアスに対して逆の正極性のクリーニングバイアス（例えば、＋１００Ｖ）を付与することもできる。
（４）上記した実施形態によれば、プリンタ１を、正帯電性のトナーを使用する画像形成装置として構成している。
【０１４７】
しかし、プリンタ１を負帯電性のトナーを使用する画像形成装置として構成することもできる。
【０１４８】
この場合には、静電潜像が形成されるときに、感光ドラム１０の表面は、スコロトロン型帯電器１１により一様に、例えば、−８００Ｖに帯電された後、スキャナユニット５からのレーザービームにより露光される。感光ドラム１０の静電潜像が形成されている部分（すなわち、露光部分）の電位は、例えば、−１５０Ｖである。
【０１４９】
そして、転写バイアスとして、例えば、＋１０００Ｖのバイアスが転写ローラ１２に付与され、クリーニングバイアスとして、例えば、＋１００Ｖのバイアスが押圧ローラ本体５３に付与される。
【符号の説明】
【０１５０】
１      プリンタ
２      本体ケーシング
８      ドラムカートリッジ
１０    感光ドラム
１２    転写ローラ
１４    レジストローラ
２２    ピックアップローラ
５３    押圧ローラ本体
５４    掻き取りブレード
５５    被押圧部
７０    受入開口
Ｐ      用紙
Ｐ１    被ピックアップ部
Ｐ２    被搬送部
【図１】
2013205586.tif 000003
【図２】
2013205586.tif 000004
【図３】
2013205586.tif 000005
【図４】
2013205586.tif 000006
【図５】
2013205586.tif 000007
【図６】
2013205586.tif 000008